(57)【要約】【課題】カラオケ歌唱時におけるカラオケ歌唱者の緊張度を測定し、歌唱者の歌唱力の判断要素にするとともに歌唱者のメンタル状態を判断できるようにし、カラオケシステムの機能を向上する。【解決手段】カラオケ歌唱者の歌唱音声をカラオケマイクによりカラオケ演奏装置へ転送するカラオケシステムであり、人体の振動を検出する振動検出手段を備えたカラオケマイクと、当該振動検出手段により検出した信号をカラオケ演奏装置へ転送する転送手段と、を備えたカラオケマイクと、前記振動検出手段の検出信号から人体固有振動に相当する周波数成分を抽出する信号濾過手段と、前記信号濾過手段を介して得られた抽出信号を予め設定した基準値と比較して緊張度を判定する判定手段と、前記判定手段による判定結果をカラオケ歌唱者が歌唱するカラオケ楽曲の演奏中あるいは演奏後に通知する表示手段と、を備える。【選択図】図３
2007225993.tif 000002
【特許請求の範囲】
【請求項１】
カラオケ歌唱者の歌唱音声をカラオケ演奏装置へ転送するためのカラオケマイクであり、人体の振動を検出する振動検出手段と、前記振動検出手段により検出した信号をカラオケ演奏装置へ転送する転送手段と、を備えたことを特徴とするカラオケマイク。
【請求項２】
カラオケ歌唱者の歌唱音声をカラオケマイクによりカラオケ演奏装置へ転送するカラオケシステムであり、
（ア）人体の振動を検出する振動検出手段を備えたカラオケマイクと、当該振動検出手段により検出した信号をカラオケ演奏装置へ転送する転送手段と、を備えたカラオケマイクと、
（イ）前記振動検出手段の検出信号から人体固有振動に相当する周波数成分を抽出する信号濾過手段と、
（ウ）前記信号濾過手段を介して得られた抽出信号を予め設定した基準値と比較して緊張度を判定する判定手段と、
（エ）前記判定手段による判定結果をカラオケ歌唱者が歌唱するカラオケ楽曲の演奏中あるいは演奏後に通知する表示手段と、
を備えたことを特徴とするカラオケシステム。
【請求項３】
特定のカラオケ歌唱者による特定のカラオケ楽曲の歌唱時に、当該歌唱者による当該楽曲の歌唱時の緊張度を示す履歴データを読み出して歌唱中の緊張度の程度を判定するようにしたことを特徴とする請求項２記載のカラオケシステム。
【請求項４】
緊張度の判定結果をメッセージ、画像、アニメーションなどにより表示するようにしたことを特徴とする請求項２または請求項３に記載のカラオケシステム。
【発明の詳細な説明】
【技術分野】
【０００１】
本発明は、カラオケシステムの利用者がカラオケ楽曲を歌唱中に生じる緊張度を検出し、その緊張度から歌唱力の判定、あるいはメンタル状態の把握が可能となるようにしたカラオケマイクおよびこのカラオケマイクを利用したカラオケシステムに関するものである。
【背景技術】
【０００２】
近年のカラオケシステムはきわめて多機能となり、楽曲の統計処理や歌唱者の歌唱力を評価する採点システムなどが搭載され、娯楽性の向上が図られている。また、歌唱者の生体的状態を把握するシステムとして、例えば、歌唱中の歌唱者のアルコール濃度の高低を検出する機能の提案もある。
【０００３】
これは、歌唱者から発生する呼気に含まれるアルコール成分を検知するための半導体ガスセンサと、この半導体ガスセンサにより検知されたアルコール成分の濃度を測定する測定手段と、この測定手段により測定された測定データをカラオケ演奏装置へ転送する転送手段を備えたカラオケマイクによりなされる。
【０００４】
かかるカラオケシステムでは、飲酒量（生体中のアルコール濃度）を歌唱者に認識されることなく検知して測定し、その測定結果を歌唱者に通知することができ、これにより歌唱者は歌唱時点での飲酒量を把握することができることから、以後の飲酒量の調整が可能となるようにしている（例えば、特許文献１）。
【特許文献１】特開２００５−２４２０６２号公報
【発明の開示】
【発明が解決しようとする課題】
【０００５】
上記従来のカラオケシステムは、歌唱者の飲酒による生体の変化を検出するようにしたものであるが、歌唱者に無意識に生じる心理現象（メンタル状態）を検出するものではない。ところで、一般にカラオケシステムによるカラオケ楽曲の歌唱は、その娯楽性により緊張を解すものであるが、歌唱により形成される心理的状態には個人差があり、却って心理的緊張を高める歌唱者もある。例えば、自身の歌唱レパートリーにないカラオケ楽曲を歌唱する場合、あるいは不慣れな場で歌唱する場合などは、多少なりとも緊張を伴うものである。
【０００６】
通常、人が不安もしくは緊張状態に陥ると、人体はストレスを受け、血液が人体の末端部から重要な体内器官に集まり、このため手が冷たくなったり、微細に震えるなどの生理現象を生ずる。特に、後者の生理現象を利用し、例えば、特許第２９６０２７５号では、座席やベッド等の人体を支持する機器に、人体の振動状態を検出する振動検出手段を設け、人の緊張度を判定する判定手段からなる緊張度判定装置が想到されている。また、特開平９−１１７４４０号では、微小振動を手や指先といった人体の末端部で測定するストレス度測定装置が想到されている。そして、このような緊張状態は歌唱力に影響を与えることから、この緊張度を歌唱者の歌唱能力の採点要素とすることができ、メンタル状態の把握が可能となる。
【０００７】
本発明は、上記したようなカラオケ歌唱時における歌唱者の緊張度を検出し、歌唱者の歌唱力の判断要素となるようにするとともに、歌唱時のメンタル状態を判断できるようにするものであり、カラオケシステムに新たな機能を付加することを目的とするものである。
【課題を解決するための手段】
【０００８】
そこで本発明は、以下に述べる各手段により上記課題を解決するようにした。即ち、請求項１記載の発明では、人体の振動を検出する振動検出手段と、前記振動検出手段により検出した信号をカラオケ演奏装置へ転送する転送手段をカラオケマイクに備える。
【０００９】
請求項２記載の発明では、カラオケ歌唱者の歌唱音声をカラオケマイクによりカラオケ演奏装置へ転送するカラオケシステムであり、請求項１記載のカラオケマイクと、前記振動検出手段の検出信号から人体固有振動に相当する周波数成分を抽出する信号濾過手段と、前記信号濾過手段を介して得られた抽出信号を予め設定した基準値と比較して緊張度を判定する手段と、前記判定手段による判定結果をカラオケ歌唱者が歌唱するカラオケ楽曲の演奏中あるいは演奏後に通知する表示手段と、を備える。
【００１０】
請求項３記載の発明では、上記請求項２記載の発明において、特定のカラオケ歌唱者による特定のカラオケ楽曲の歌唱時に、当該歌唱者による当該楽曲の歌唱時の緊張度を示す履歴データを読み出して歌唱中の緊張度の程度を判定する。
【００１１】
請求項４記載の発明では、上記請求項２記載の発明において、緊張度の判定結果をメッセージ、画像、アニメーションなどにより表示する。
【発明の効果】
【００１２】
本発明によれば、カラオケ歌唱時にカラオケ歌唱者の緊張度を測定することができ、歌唱者の歌唱力の判断要素とすることができるとともに、歌唱時のメンタル状態を判断することができ、カラオケシステムの機能を向上することができる。
【発明を実施するための最良の形態】
【００１３】
図１は、本発明のカラオケマイク１の断面図であり、符号２はマイクヘッドに収容されたマイクユニットを示し、カラオケ歌唱者の歌唱音声が電気信号に変換される。この電気信号はリード線２ａを介して信号処理ユニット３に入力する。また、符号４は振動検出ユニットであり、出力される電気信号はリード線４ａを介して前記信号処理ユニット３に入力する。
【００１４】
前記信号処理ユニット３へ入力し、マイクユニット２および振動検出ユニット４の電気信号に所定の処理を施した信号はリード線３ａを介して転送処理ユニット５へ出力し、該転送処理ユニット５は歌唱音声データおよび振動データをアンテナ（または、ケーブル）６を介してカラオケ演奏装置へ送出する。なお、符号７は、前記信号処理ユニット３、振動検出ユニット４、転送処理ユニット５へ電力を供給するための電池である。
【００１５】
前記振動検出ユニット４は加速度センサーなどを主体に構成されるもので、カラオケマイク１に加わった微小振動を電気信号に変換して出力する。この振動検出ユニット４により検出された電気信号は、図２に示す信号処理ブロックＡにより処理され振動スペクトルが生成される。即ち、同図において、振動検出ユニット４より出力された振動に伴う信号は増幅器Ａ１により増幅され、フィルター（信号濾過手段）Ａ２により抽出された所定の帯域の周波数成分がＡ／Ｄ変換器Ａ３に入力してデジタル信号化された後、フーリエ変換器Ａ４によりフーリエ変換され、振動スペクトルが得られる。
【００１６】
このようにして信号処理を行うようにしたことから、例えば、振動スペクトルから人体の固有振動に相当する周波数成分（例えば、２０〜３５Ｈｚ）の領域を抽出し、その振動の強度からカラオケ歌唱者の緊張度を測定することが可能となる。即ち、人体の脈波間隔、微小振動は人体の疲労と深く関係し、自律神経失調症の指標ともされていることから、振動スペクトルの振動強度からカラオケ歌唱者の緊張度を測定、メンタル状態の判断が可能となる。
【００１７】
以上のように構成される信号処理ブロックＡをカラオケマイク１に設けた場合は、ここで生成された振動スペクトルを歌唱音声信号とともにカラオケ演奏装置に転送するようにする。また、信号処理ブロックＡをカラオケ演奏装置に設ける場合は、カラオケマイク１に振動検出ユニット４のみを設け、この振動検出ユニット４から出力された検出信号を歌唱音声信号とともにカラオケ演奏装置に転送する。
【００１８】
つぎに、本発明のカラオケシステムにおけるカラオケ演奏装置の構成を図３にもとづいて説明する。同図において、システムバスＢＵＳに接続されたＣＰＵ（中央演算処理装置）１０がシステム全体の制御を司る。ＲＯＭ１１には制御プログラムなどが格納され、ＲＡＭ１２には制御処理の内容などの一時記憶が可能となるようにしている。コマンダ受信部１３は、コマンダ１４から送られてくる赤外線コード信号を受信し、コマンドデータに復元してシステムバスＢＵＳへ転送する。
【００１９】
操作部１５は、装置本体に設けられた各種スイッチ機能であり、、予約選曲、キーコントロール、歌唱プログラムなどカラオケ装置特有の機能のマニュアル設定が可能となるようにしている。表示制御部１６は、ＣＰＵ１０により処理されたメッセージなどをモニター２５により表示するための表示制御を行う。
【００２０】
ＤＶＤプレーヤ２６は、光ディスクをドライブし、記録されている背景映像を表示制御部１７へ出力するもので、ＣＰＵ１０により制御される。通信制御部１８は、情報通信ネットワークを介して楽曲配信センター（センターサーバ）と通信し、楽曲の配信を受け、あるいはカラオケ歌唱者の個人データなどの送受信を司る。ＨＤＤ（Ｈａｒｄ  Ｄｉｓｋ  Ｄｒｉｖｅ  Ｕｎｉｔ）１９は、楽曲配信センターから受信した楽曲データやカラオケ演奏以外の機能を実行させるデータであるＩＣＭデータを一時記憶する。
【００２１】
文字パターン展開部２０は、指定された楽曲の歌詞データを入力し、表示制御部１７へ出力することにより背景映像とともに楽曲の進行に伴い、歌詞を色替えさせながら表示することが可能となるようにし、モニター２５へこれを表示する。音源２１は、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）信号などで受信した楽曲データから楽音信号を形成し、音声データ処理部２２は、楽曲データに含まれる音声データにもとづいてバックコーラスなどの音声信号を再生する。
【００２２】
前記音源２１が形成した楽音信号および音声データ処理部２２が再生した音声信号は、ＤＳＰ２３へ入力し、これらの楽音信号および音声信号に対してリバーブ、エコーなどの効果を付与する。効果が付与された楽音信号、音声信号は、Ｄ／Ａ変換器２４でカラオケ楽曲信号となり、カラオケ演奏が可能となるようにアナログ信号に変換され、音響増幅器２７へ出力される。
【００２３】
入力処理部２９は、前記カラオケマイク１に接続され、このカラオケマイク１により生成されたカラオケ歌唱者の音声信号ならびに振動検出ユニット４による検出信号が入力する。そして、この入力処理部２９において音声信号と検出信号が分離される。この分離方法として、例えば、音声信号の周波数成分（通常、６０〜１６０００Ｈｚ）と、緊張に起因する人体の固有振動に相当する周波数成分（通常、２０〜３５Ｈｚ）とを、それぞれの周波数帯に対応した信号を振り分けることにより行う。なお、本実施例では、音声信号と検出信号とをカラオケマイクにて混合しているが、本発明はこれに限らず、例えば、ワイヤレスマイクでは、搬送波のＦＭ波長を異にしてカラオケ演奏装置に対し音声信号と検出信号とを別々の出力信号として転送したり、あるいは、ワイヤードマイクでは、別々の配線ルートで転送しても構わない。そして、音声信号は音響増幅器２７へ入力する一方、検出信号は前述した信号処理ブロックＡを含むデータ処理部３０へ入力する。
【００２４】
前記データ処理部３０へ入力した検出信号は、振動スペクトル信号に変換され、カラオケ歌唱者の歌唱中の緊張度を連続的または間欠的に測定する。このようにして、測定されたカラオケ歌唱者の緊張度は、ＲＯＭ１１に搭載された分析プログラムにもとづく処理により解析され、その結果がモニター２５に表示される。
【００２５】
例えば、図４に示すようにカラオケ歌唱者の歌唱中の緊張度を数値データによりモニター２５の画面に表示したり、あるいは図５に示すようにインジケータによりその程度を表示するようにしてもよい。この場合、カラオケ歌唱者の緊張度を実時間で表示、あるいは数十秒毎の間隔で平均した値を表示するようにしてもよい。
【００２６】
図６は、上記処理の流れをフローチャートで示したもので、まず、歌唱者は歌唱を開始する前にキー入力により男性、女性、年齢などを指定する歌唱者データを入力する（Ｓａ１）。ステップＳａ１により歌唱者データが入力されると、ＣＰＵ１０は当該入力条件にもとづく基準値（Ｈａ）をＲＯＭ１１から読み出し、この基準値をデータ処理部３０に設定する（Ｓａ２）。緊張度を測定するにあたっての基準値は一義的に定めるようにしてもよいが、性別、年齢などの条件別に定めることにより高い精度の判定結果を期待することができる。
【００２７】
このような設定がなされた後、カラオケ歌唱者の歌唱が開始されると、カラオケマイク１の振動検出ユニット４により生成された測定値（Ｈｂ）がデータ処理部３０に入力する（Ｓａ３）。そして、データ処理部３０では、まず、基準値（Ｈａ）と測定値（Ｈｂ）が比較され（Ｓａ４）、このときの歌唱者の状態がＨａ＞Ｈｂなる場合は、歌唱者はリラックスしている状態にあると判断してモニター２５にかかる状態を通知する表示がなされ（Ｓａ５）、比較ルーチンが継続される。
【００２８】
つぎに、ステップＳａ６において歌唱者の状態がＨａ＝Ｈｂと判定された場合は、適度に緊張している状態と判断してモニター２５にかかる状態を通知する表示がなされ（Ｓａ７）、比較ルーチンが継続される。また、ステップＳａ８において歌唱者の状態がＨａ＜Ｈｂと判定された場合は、かなり緊張している状態と判断してモニター２５にかかる状態を通知する表示がなされ（Ｓａ９）、比較ルーチンが継続される。なお、本実施例では、基準値を１つのみ設けているが、本発明はこれに限定されず、例えば、複数の緊張度レベル毎に基準値の幅をそれぞれ設定し、測定値が何れの基準値内に入るかを照会し、そのレベルを通知するようにしても構わない。
【００２９】
このようにしてカラオケ歌唱者の緊張度を測定することが可能となることから、過去の歌唱時における歌唱力と対比することが可能となる。例えば、会員制による店舗運営形式におけるカラオケシステムでは、楽曲配信センター（センターサーバ）の会員データベースと接続することができ、この会員データベースに、会員ＩＤ番号、氏名、年齢、住所、電話番号などの基礎データのほかに会員固有情報を蓄積することができるてめ、上述したキー入力に代わり、利用者ＩＤカードの読み取り手段により、男性、女性、年齢などを指定する歌唱者データが特定できる。
【００３０】
この会員固有情報は、例えば、特定のカラオケ楽曲について当該会員の過去の歌唱力の実績などを蓄積しておくことができ、同様に特定のカラオケ楽曲を歌唱したときの緊張度を蓄積しておくことができる。したがって、かかる過去のデータを呼び出すことにより、カラオケ楽曲を歌唱する毎に緊張度を比較し、当該カラオケ楽曲に対する習熟度などを判断することが可能となる。
【００３１】
前述したようにカラオケ歌唱者の緊張度をモニター表示するようにしたことから、多人数のグループでカラオケを楽しむような場合、緊張度の測定値を個人毎に比較するような今までにないアミューズメント効果を期待することができる。また、緊張度の測定結果から、カラオケ歌唱者自身がストレスの程度などのメンタル状態を間接的に把握することができ、健康管理などの参考とすることが可能となる。
【図面の簡単な説明】
【００３２】
【図１】本発明のカラオケマイクの構成を示す断面図である。
【図２】本発明の要部の信号処理の例を示すブロック図である。
【図３】本発明のカラオケシステムのブロック図である。
【図４】本発明の機能を説明するための図である。
【図５】本発明の機能を説明するための図である。
【図６】本発明における測定処理の流れを示すフローチャート図である。
【符号の説明】
【００３３】
１・・・・・・カラオケマイク
２・・・・・・マイクユニット
３・・・・・・信号処理ユニット
４・・・・・・振動検出ユニット
５・・・・・・転送処理ユニット
６・・・・・・アンテナ（ケーブル）
７・・・・・・電池
Ａ・・・・・・信号処理ブロック
Ａ１・・・・・増幅器
Ａ２・・・・・フィルター
Ａ３・・・・・Ａ／Ｄ変換器
Ａ４・・・・・フーリエ変換器
１０・・・・・ＵＰＵ
１１・・・・・ＲＯＭ
１２・・・・・ＲＡＭ
１３・・・・・コマンダ受信部
１４・・・・・コマンダ
１５・・・・・操作部
１６・・・・・表示制御部
１７・・・・・表示制御部
１８・・・・・通信制御部
１９・・・・・ＨＤＤ
２０・・・・・文字パターン展開部
２１・・・・・音源
２２・・・・・音声データ処理部
２３・・・・・ＤＳＰ
２４・・・・・Ｄ／Ａ変換器
２５・・・・・モニター
２６・・・・・ＤＶＤプレーヤ
２７・・・・・増幅器
２８・・・・・音響装置
２９・・・・・入力処理部
３０・・・・・データ処理部
【図１】
2007225993.tif 000003
【図２】
2007225993.tif 000004
【図３】
2007225993.tif 000005
【図４】
2007225993.tif 000006
【図５】
2007225993.tif 000007
【図６】
2007225993.tif 000008